(57)【要約】【課題】例えば排出物等の漏出を確実に防止でき、さらに、インナ使い捨て吸収性物品を配設する場合にも確実に対応できる使い捨て吸収性物品を提供する。【解決手段】吸収性物品本体２の幅方向の両側部に、吸収性物品本体２の長手方向に沿って、装着者の肌に密着して例えば排出物等の漏出を防止するフラップ部13を配設する。このフラップ部13は、起立可能な基部14と、装着者の装着部と密着し、中間延出部と内側延出部と外側延出部とを有する延出部15とから形成する。基部14が下方に位置することで最も伸縮し難い中間延出部の伸長応力が、内側延出部および外側延出部の伸長応力より大きくなるように、中間延出部、内側延出部、外側延出部にそれぞれ中間弾性体22、内側弾性体23、外側弾性体24を配設する。【選択図】図１
2008307223.tif 000002
【特許請求の範囲】
【請求項１】
内面側に位置する表面シートと、外面側に位置する裏面シートと、これら表面シートと裏面シートとの間に配設された吸収体とを有する吸収性物品本体を備え、
この吸収性物品本体の幅方向の両側部には、フラップ部が前記吸収性物品本体の長手方向に沿って配設され、
このフラップ部は、
起立可能な基部と、装着者の装着部と密着する延出部と有し、
前記基部は、
前記表面シートおよび前記裏面シートの少なくともいずれか一方に接合される基端部と、この基端部の反対側に位置し前記延出部と連続的に設けられた分岐部と、これら基端部と分岐部との間に位置する自由部とを有し、
前記延出部は、
前記基部における前記分岐部の上側に位置する中間延出部と、この中間延出部より前記延出部の幅方向の内側に位置する内側延出部と、前記中間延出部より前記延出部の幅方向の外側に位置する外側延出部とを有し、
前記中間延出部、前記内側延出部、前記外側延出部にはそれぞれ中間弾性体、内側弾性体、外側弾性体が配設されて、前記延出部全体が伸縮可能となっており、前記中間延出部の伸長応力が、前記内側延出部および前記外側延出部の伸長応力より大きくなるように形成された
ことを特徴とした使い捨て吸収性物品。
【請求項２】
フラップ部の延出部は、中間延出部の伸長応力が最も大きく、次いで内側延出部の伸長応力が大きく、外側延出部の伸長応力が最も小さくなるように形成された
ことを特徴とする請求項１記載の使い捨て吸収性物品。
【請求項３】
基部および延出部は、それぞれ異なるシート材から形成され、前記基部は、前記延出部より不透液性が良好なシート材で形成された
ことを特徴とした請求項１または２記載の使い捨て吸収性物品。
【請求項４】
内側延出部の幅方向の長さは、外側延出部の幅方向の長さより短く形成された
ことを特徴とした請求項１乃至３のいずれか記載の使い捨て吸収性物品。
【請求項５】
フラップ部の基部における分岐部および自由部より吸収性物品本体の幅方向の外側部には、外側フラップ部が吸収性物品本体の長手方向に沿って形成され、
この外側フラップ部には、長手方向に沿って外側フラップ弾性体が配設され、
前記フラップ部の外側延出部の外側縁部は、前記外側フラップ弾性体より前記吸収性物品本体の幅方向の内側に位置し、前記フラップ部の内側延出部の内側縁部が前記吸収体の上方に位置した
ことを特徴とした請求項１乃至４のいずれか記載の使い捨て吸収性物品。
【請求項６】
フラップ部の長手方向の両端縁部には、
前記フラップ部の内側延出部と表面シートとが接合された内側接合部と、前記フラップ部の外側延出部と基部とが接合された外側接合部とが形成され、
前記外側接合部の長手方向の長さは、前記内側接合部の長手方向の長さより長く形成された
ことを特徴とした請求項１乃至５のいずれか記載の使い捨て吸収性物品。
【請求項７】
吸収性物品本体には、背側腰回り部、股下回り部、および腹側腰回り部が長手方向に順次一体的に設けられ、
フラップ部の延出部は、吸収性物品本体の背側腰回り部の少なくとも一部に設けられた非伸縮である背側非伸縮部と、前記吸収性物品本体の腹側腰回り部の少なくとも一部に設けられた非伸縮である腹側非伸縮部とを備え、
前記背側非伸縮部の前記吸収性物品本体の長手方向の長さは、前記腹側非伸縮部の前記吸収性物品本体の長手方向の長さより長く形成された
ことを特徴とした請求項１乃至６のいずれか記載の使い捨て吸収性物品。
【請求項８】
吸収性物品本体には、この吸収性物品本体の長手方向に沿って延出部以外の部分に設けられた長手方向折畳み線および前記吸収性物品本体の幅方向に沿って設けられた幅方向折畳み線の少なくともいずれか一方が設けられた
ことを特徴とした請求項１乃至７のいずれか記載の使い捨て吸収性物品。
【発明の詳細な説明】
【技術分野】
【０００１】
本発明は、子供用、大人用、あるいは失禁用等の使い捨て吸収性物品に関するものである。
【背景技術】
【０００２】
一般的に、使い捨て吸収性物品は、表面シートと、裏面シートと、これら両シートの間に配設された吸収体とを有する略四角形状の吸収性物品本体を備えている。この吸収性物品本体には、装着者の背側の腰回りに位置する背側腰回り部と、装着者の腹側の腰回りに位置する腹側腰回り部と、装着者の股下に位置し、両側部に脚回り部を有する股下回り部とが長手方向に順次一体的に形成されている。
【０００３】
この吸収性物品本体の前記背側腰回り部および前記腹側腰回り部の両側部には、面状ファスナを有する接合片がそれぞれ設けられ、これらの面状ファスナを係合することで前記背側腰回り部および前記腹側腰回り部の両側部が接合されて、一つの腰回り開口部と、一対の脚回り開口部とを有するパンツ形状に形成される。なお、前記背側腰回り部および前記腹側腰回り部の両側部がそれぞれ例えば溶着等によりあらかじめ接合されて、パンツ形状とされるものもある。
【０００４】
そして、例えば排泄物等の漏出を防止する為に、吸収性物品本体の内面に長手方向に沿って、この吸収性物品本体の内面から起立可能な基部と、この基部から一体的に形成され、弾性体が設けられて伸縮可能な延出部とを有するフラップ部が設けられたものがある。
【０００５】
このフラップ部の延出部は、前記基部の上側に位置した中間延出部と、これら基部および中間延出部より前記吸収性物品本体の幅方向の内側に位置した内側延出部と、前記基部および前記中間延出部より前記吸収性物品本体の幅方向の外側に位置した外側延出部とから形成されており、使い捨て吸収性物品の装着時において、前記延出部が、折り重なることなく前記吸収性物品本体の幅方向へ広がり、前記延出部全体が肌に密着し易く、例えば排泄物等の漏出を確実に防止できる（例えば、特許文献１参照。）。
【特許文献１】特開平１１−２７６５２０号公報（第２−４頁、図１、図３）
【発明の開示】
【発明が解決しようとする課題】
【０００６】
しかしながら上述した特許文献１の使い捨て吸収性物品では、延出部において、中間延出部は前記基部の上側に位置するので、前記基部の影響で内側延出部および外側延出部より伸縮し難くなり、延出部の幅方向の断面形状が凹状に変形してしまうので、前記延出部が装着部に確実に密着できず、例えば排泄物等が漏出してしまう問題が考えられる。
【０００７】
また、前記基部の自由部は、前記延出部の伸縮に伴って起立し易い状態になるが、前記中間延出部が前記基部の影響で伸縮し難く、前記延出部全体が伸縮し難いので、前記基部が起立し難くなり、例えば排泄物等の漏出を確実に防止できない問題が考えられる。
【０００８】
さらに、前記使い捨て吸収性物品は、インナとして別体のインナ使い捨て吸収性物品を配設して使用することがある。この場合に、特許文献１の使い捨て吸収性物品では、前記基部が起立し難く、前記内側延出部が前記外側延出部より下方に位置するように前記延出部を傾斜させた構成となっているため、前記インナ使い捨て吸収性物品を前記延出部の上部に配設し難く、前記別体の使い捨て吸収性物品を両側基部の間に配設する場合には、前記基部が使い捨て吸収性物品の幅方向の外側へ向かって起立しているため、前記基部と前記延出部によって囲むように前記別体の使い捨て吸収性物品を配設できないので、例えば排泄物等が漏出してしまう可能性がある。
【０００９】
本発明はこのような点に鑑みなされたもので、例えば排出物等の漏出を確実に防止でき、さらに、インナ使い捨て吸収性物品を配設する場合にも確実に対応できる使い捨て吸収性物品を提供する。
【課題を解決するための手段】
【００１０】
請求項１に記載された発明は、内面側に位置する表面シートと、外面側に位置する裏面シートと、これら表面シートと裏面シートとの間に配設された吸収体とを有する吸収性物品本体を備え、この吸収性物品本体の幅方向の両側部には、フラップ部が前記吸収性物品本体の長手方向に沿って配設され、このフラップ部は、起立可能な基部と、装着者の装着部と密着する延出部と有し、前記基部は、前記表面シートおよび前記裏面シートの少なくともいずれか一方に接合される基端部と、この基端部の反対側に位置し前記延出部と連続的に設けられた分岐部と、これら基端部と分岐部との間に位置する自由部とを有し、前記延出部は、前記基部における前記分岐部の上側に位置する中間延出部と、この中間延出部より前記延出部の幅方向の内側に位置する内側延出部と、前記中間延出部より前記延出部の幅方向の外側に位置する外側延出部とを有し、前記中間延出部、前記内側延出部、前記外側延出部にはそれぞれ中間弾性体、内側弾性体、外側弾性体が配設されて、前記延出部全体が伸縮可能となっており、前記中間延出部の伸長応力が、前記内側延出部および前記外側延出部の伸長応力より大きくなるように形成された使い捨て吸収性物品である。
【００１１】
請求項２に記載された発明は、請求項１に記載された使い捨て吸収性物品において、フラップ部の延出部は、中間延出部の伸長応力が最も大きく、次いで内側延出部の伸長応力が大きく、外側延出部の伸長応力が最も小さくなるように形成されたものである。
【００１２】
請求項３に記載された発明は、請求項１または２に記載された使い捨て吸収性物品において、基部および延出部は、それぞれ異なるシート材から形成され、前記基部は、前記延出部より不透液性が良好なシート材で形成されたものである。
【００１３】
請求項４に記載された発明は、請求項１乃至３のいずれかに記載された使い捨て吸収性において、内側延出部の幅方向の長さは、外側延出部の幅方向の長さより短く形成されたものである。
【００１４】
請求項５に記載された発明は、請求項１乃至４のいずれかに記載された使い捨て吸収性物品において、フラップ部の基部における分岐部および自由部より吸収性物品本体の幅方向の外側部には、外側フラップ部が吸収性物品本体の長手方向に沿って形成され、この外側フラップ部には、長手方向に沿って外側フラップ弾性体が配設され、前記フラップ部の外側延出部の外側縁部は、前記外側フラップ弾性体より前記吸収性物品本体の幅方向の内側に位置し、前記フラップ部の内側延出部の内側縁部が前記吸収体の上方に位置したものである。
【００１５】
請求項６に記載された発明は、請求項１乃至５のいずれかに記載された使い捨て吸収性物品において、フラップ部の長手方向の両端縁部には、前記フラップ部の内側延出部と表面シートとが接合された内側接合部と、前記フラップ部の外側延出部と基部とが接合された外側接合部とが形成され、前記外側接合部の長手方向の長さは、前記内側接合部の長手方向の長さより長く形成されたものである。
【００１６】
請求項７に記載された発明は、請求項１乃至６のいずれかに記載された使い捨て吸収性物品において、吸収性物品本体には、背側腰回り部、股下回り部、および腹側腰回り部が長手方向に順次一体的に設けられ、フラップ部の延出部は、吸収性物品本体の背側腰回り部の少なくとも一部に設けられた非伸縮である背側非伸縮部と、前記吸収性物品本体の腹側腰回り部の少なくとも一部に設けられた非伸縮である腹側非伸縮部とを備え、前記背側非伸縮部の前記吸収性物品本体の長手方向の長さは、前記腹側非伸縮部の前記吸収性物品本体の長手方向の長さより長く形成されたものである。
【００１７】
請求項８に記載された発明は、請求項１乃至７のいずれかに記載された使い捨て吸収性物品において、吸収性物品本体には、この吸収性物品本体の長手方向に沿って延出部以外の部分に設けられた長手方向折畳み線および前記吸収性物品本体の幅方向に沿って設けられた幅方向折畳み線の少なくともいずれか一方が設けられたものである。
【発明の効果】
【００１８】
請求項１に記載された発明によれば、中間延出部、内側延出部、外側延出部にそれぞれ中間弾性体、内側弾性体、外側弾性体が配設され、前記中間延出部の伸長応力が、前記内側延出部および前記外側延出部の伸長応力より大きくなるように形成されたことで、基部の影響で伸縮し難い前記中間延出部が、前記内側延出部および前記外側延出部と同様に伸縮でき、延出部の幅方向の断面形状を平面状に維持できるので、この延出部が確実に装着部に密着でき、例えば排泄物等の漏出を確実に防止できる。
【００１９】
また、前記中間延出部が前記内側延出部および前記外側延出部と同様に伸縮できることで、延出部全体が確実に伸縮でき、この延出部の伸縮に伴って基部が確実に起立できるので、例えば排泄物等の漏出を確実に防止できる。
【００２０】
さらに、前記延出部の幅方向の断面形状を平面状に維持できかつ前記基部が確実に起立できるので、インナ使い捨て吸収性物品を配設する場合にも確実に対応できる。
【００２１】
請求項２に記載された発明によれば、中間延出部の伸長応力が最も大きく、次いで内側延出部の伸長応力が大きく、外側延出部の伸長応力が最も小さくなるように形成されたことで、延出部全体が同様に伸縮できるので、延出部の幅方向の断面形状をより確実に平面状に維持できる。
【００２２】
請求項３に記載された発明によれば、基部が延出部より不透液性が良好なシート材で形成されたことで、例えば排泄物等の漏出を効果的に防止できる。
【００２３】
請求項４に記載された発明によれば、内側延出部の幅方向の長さが、外側延出部の幅方向の長さより短く形成されたことで、前記内側延出部が吸収体および表面シートを覆う面積を小さくでき、前記内側延出部による前記吸収体の吸収力の低下を抑制できる。
【００２４】
請求項５に記載された発明によれば、外側フラップ部が設けられたことで、フラップ部とこの外側フラップ部とによって、例えば排泄物等の漏出をより確実に防止できる。
【００２５】
また、前記フラップ部の外側延出部の外側縁部が前記外側フラップ弾性体より吸収性物品本体の内側に位置し、前記フラップ部の内側延出部の内側縁部が吸収体の上方に位置するように形成されることで、例えば排泄物等の漏出をより確実に防止できる。
【００２６】
請求項６に記載された発明によれば、外側接合部の長手方向の長さが、内側接合部の長手方向の長さより長く形成されることで、前記内側延出部より反り易い前記外側延出部の反りを抑制できるので、延出部全体を平面形状に維持し易く、確実に前記延出部が装着者の肌に密着できる。
【００２７】
請求項７に記載された発明によれば、背側非伸縮部の長手方向の長さが、腹側非伸縮部の長手方向の長さより長く形成されたことで、背側腰回り部が腹側腰回り部より伸縮し難くなり、使い捨て吸収性物品を容易に装着できる。
【００２８】
また、前記背側腰回り部にフラップ部によって皺が形成され難く、皺による装着感の悪化を抑制できる。
【００２９】
請求項８に記載された発明によれば、長手方向折畳み線が、延出部以外の部分に設けられることで、前記延出部の幅方向の形状を平面状に維持できるので、前記延出部を装着者の肌に確実に密着できる。
【発明を実施するための最良の形態】
【００３０】
以下、本発明の第１の実施の形態の構成を図１乃至図５を参照しながら詳細に説明する。
【００３１】
図１に示されるように、使い捨て吸収性物品１は、例えば使い捨て紙おむつであり、展開状態からパンツ形状にすることで、例えば病人や失禁者等の装着者の背部側から腹部側に身体に沿って装着するものである。
【００３２】
この使い捨て吸収性物品１は、略矩形状の吸収性物品本体２を備えており、この吸収性物品本体２は、内面側に位置する表面シート３、外面側に位置する裏面シート４、これら表面シート３と裏面シート４との間に配設された液吸収性を有する吸収体５にて層状に形成されている。
【００３３】
ここで、表面シート３は、例えば織布、不織布、多孔性フィルム、あるいは合成繊維等の透液性および通気性を有しかつ肌着に近い感触のシート材で形成されることが好ましく、この場合、例えば排泄物等を吸収体５へ透過するとともに、身体に直接接触しても不快感を与えない。
【００３４】
また、裏面シート４は、例えば排泄物等が漏出しないように、不透液性のシート材で形成され、例えば不織布、ポリエチレン樹脂製の合成樹脂シート等にて形成されると、不透液性および通気性を有しているので好ましく、この場合、排泄物の漏出によって例えば下着や他の衣類、あるいはシーツ等の汚れを防止できる。
【００３５】
さらに、吸収体５は、例えばパルプを主とする材料であって、一部に高分子吸収体等の物質を含んだ材料にてシート状に形成され、例えば排泄物等を充分に吸収する。
【００３６】
そして、表面シート３と裏面シート４との間に吸収体５を封着するように、例えば接着剤等で表面シート３の周縁部を裏面シート４に接合し、これら表面シート３、裏面シート４、および吸収体５を有する吸収性物品本体２は、長手方向に沿って略矩形状に形成される。
【００３７】
なお、図１では、表面シート３と裏面シート４とは、形状や大きさが異なるが、これら表面シート３および裏面シート４の形状や大きさは限定されず、例えばそれぞれの形状および大きさが同一でもよい。
【００３８】
また、吸収性物品本体２は、展開状態で、長手方向の一端側に背側腰回り部６が形成され、他端側に腹側腰回り部７が形成され、背側腰回り部６と腹側腰回り部７との間には股下回り部８が形成され、これら背側腰回り部６と股下回り部８と腹側腰回り部７とは、吸収性物品本体２の長手方向に順次一体的に形成されており、股下回り部８の幅方向の両側縁には、略凹弧上に切り欠きされた脚回り部９が形成されている。
【００３９】
そして、使い捨て吸収性物品１は、展開状態から適宜折り曲げられて、装着者の背側の腰回りに背側腰回り部６が位置し、装着者の腹側の腰回りに腹側腰回り部７が位置し、装着者の股下部に股下回り部８が位置するようになっており、吸収体５は、背側腰回り部６と腹側腰回り部７と股下回り部８との略中央部に、吸収性物品本体２の長手方向に沿って配設されている。
【００４０】
吸収性物品本体２の背側腰回り部６および腹側腰回り部７には、面状ファスナを有する接合片10がそれぞれ設けられ、これら接合片10を互いに係合することによって、使い捨て吸収性物品１が、一つの腰回り開口部と一対の脚回り開口部とを有するパンツ形状に形成される。
【００４１】
なお、接合片10は、背側腰回り部６および腹側腰回り部７に設けられていれば、その箇所は限定されず、例えば背側腰回り部６の両側部および腹側腰回り部７の外側面に設けられることで、係合し易くなるので好ましい。
【００４２】
吸収性物品本体２の幅方向の両側部には、例えば排泄物等の漏出を防止するフラップ部13が設けられている。
【００４３】
このフラップ部13は、図２に示されるように、起立可能な基部14と、装着者の装着部と密着する延出部15とから形成されている。
【００４４】
基部14は、表面シート３および裏面シート４の少なくともいずれかに接合される基端部16と、この基端部16の反対側に位置し延出部15と連続的に設けられた分岐部17と、これら基端部16と分岐部17との間に位置する自由部18とを有する。
【００４５】
延出部15は、基部14における分岐部17の上側に位置する中間延出部19と、この中間延出部19より延出部15の幅方向の内側に位置する内側延出部20と、中間延出部19より延出部15の幅方向の外側に位置する外側延出部21とを有する。
【００４６】
これら基部14および延出部15をそれぞれ異なるシート材で形成すると、例えば基部14を起立し易いシート材で形成し、装着者の装着部に密着する延出部15を柔軟性が良好なシート材で形成する等、基部14および延出部15をそれぞれに適したシート材で形成できるので好ましい。
【００４７】
基部14および延出部15を形成するシート材は限定されないが、例えば不織布や合成樹脂製シート等で形成され、表面には熱エンボスが施されている。
【００４８】
また、基部14および延出部15は、それぞれ異なる素材や製法のシート材で形成したり、同一の素材や製法のシート材で素材の密度や熱エンボスの量を変えて形成したりすることも可能である。
【００４９】
なお、この実施の形態では、異なるシート材である基部14と延出部15とが接合されてフラップ部13が形成されているが、同一のシート材で基部14と延出部15とが一体的なフラップ部13を形成してもよい。
【００５０】
延出部15では、中間延出部19、内側延出部20、外側延出部21にそれぞれ中間弾性体22、内側弾性体23、外側弾性体24が配設されて、延出部15全体が伸縮可能となっている。
【００５１】
中間弾性体22、内側弾性体23、外側弾性体24の収縮により延出部15全体が収縮することで、基部14は、図２に示されるような自由部18が起立する起立状態となる。また、使い捨て吸収性物品１を展開し、中間弾性体22、内側弾性体23、外側弾性体24が伸長して延出部15全体が伸長することで、基部14は、図３に示されるような内側面全体が表面シート３および吸収体５上に密着する密着状態となる。
【００５２】
このように、基部14は、延出部15の伸縮によって、例えば図２に示されるような起立状態や図３に示されるような密着状態等に自在に変形できる。
【００５３】
中間弾性体22、内側弾性体23、外側弾性体24は、例えば紐状ゴム等の伸長可能な部材であり、これら中間弾性体22、内側弾性体23、外側弾性体24が延出部15の長手方向に沿って伸長した状態で、それぞれ中間延出部19、内側延出部20、外側延出部21に例えば接着剤等で固着されて配設され、延出部15が伸縮可能となる。
【００５４】
また、中間延出部19の伸長応力は、内側延出部20および外側延出部21の伸長応力より大きくなるように形成されている。
【００５５】
中間弾性体22、内側弾性体23、外側弾性体24は、中間延出部19の伸長応力が内側延出部20および外側延出部21の伸長応力より大きければ、それぞれ形状は限定されず、例えば、紐状、リボン状、フィルム状等で適宜選択でき、それぞれが異なる形状のものでもよい。
【００５６】
なお、中間弾性体22、内側弾性体23、外側弾性体24は、配設数や配設間隔も限定されない。
【００５７】
さらに、中間弾性体22、内側弾性体23、外側弾性体24の長手方向の長さは限定されず、例えば略同一の長さの中間弾性体22、内側弾性体23、外側弾性体24が配設されてもよく、それぞれ異なる長さの中間弾性体22、内側弾性体23、外側弾性体24が配設されてもよいが、中間弾性体22および内側弾性体23の長さが外側弾性体24の長さより長いことで、延出部15の幅方向の断面形状を平面状に維持し易いので好ましい。
【００５８】
また、中間延出部19の伸長応力を内側延出部20および外側延出部21の伸長応力より大きくする方法は限定されず、例えば、図２のように同一の紐状の弾性体を用いて、内側弾性体23および外側弾性体24より多い配設数の中間弾性体22を配設すると、容易に中間延出部19の伸長応力を内側延出部20および外側延出部21の伸長応力より大きくできるので好ましい。
【００５９】
中間弾性体22、内側弾性体23、外側弾性体24の配設方法は限定されず、図２のように、延出部15によって囲繞されるように配設されると、使い捨て吸収性物品１の装着時に、中間弾性体22、内側弾性体23、外側弾性体24によっての装着感が悪化し難いので好ましい。
【００６０】
なお、この場合は、延出部15の内面全面に例えば接着剤等を塗布して、内面を全面的に接合することも可能であるが、延出部15の内面を全面的に接合すると延出部15が硬くなってしまい、装着感が悪化する恐れがある。したがって、中間弾性体22、内側弾性体23、外側弾性体24それぞれに例えば接着剤等を塗布して延出部15の内面に接合し、これら中間弾性体22、内側弾性体23、外側弾性体24に塗布された接着剤によって延出部15の内面同士を接合すると、延出部15が硬くなることによる装着感の悪化を抑制できるので好ましい。
【００６１】
フラップ部13における基部14と延出部15とがそれぞれ異なるシート材で形成された場合、必要に応じて、基部14が延出部15より不透液性の良好なシート材で形成されると、例えば排泄物等の漏出を効果的に防止できるので好ましい。
【００６２】
基部14および延出部15の両方が、不透液性を有するシート材で形成される必要はなく、基部14が不透液性を有するシート材で形成されると、この基部14が起立することで、例えば排泄物等の漏出を防止できるので、延出部15は不透液性を有するシート材で形成されなくてもよい。
【００６３】
また、基部14および延出部15の両方が不透液性を有するシート材で形成され、さらに基部14が延出部15より不透液性が良好なシート材で形成されると、例えば排泄物等の漏出を確実に防止できるので好ましい。
【００６４】
基部14および延出部15の不透液性については、低水圧用の耐水試験Ａ法（ＪＩＳＬ１０９２：１９９８）において、基部14のシート材の耐水度が１００ｍｍＨ２Ｏ以上であれば、基部14の不透液性を確保できるので好ましい。さらに好ましくは１００〜４００ｍｍＨ２Ｏである。
【００６５】
また、延出部15のシート材は、耐水度が１００ｍｍＨ２Ｏより小さくてもよいが、１００ｍｍＨ２Ｏ以上であれば、延出部15の不透液性も確保できるので好ましい。
【００６６】
なお、基部14および延出部15は、必要に応じて不透液性を有するシート材で形成されるものであり、不透液性を有するシート材で形成されない場合もある。
【００６７】
フラップ部13の基部14における分岐部17および自由部18より吸収性物品本体２の幅方向の外側部には、外側フラップ部25が吸収性物品本体２の長手方向に沿って形成されている。
【００６８】
この外側フラップ部25は、長手方向に沿って外側フラップ弾性体26が配設されて、伸縮可能となっており、このように外側フラップ弾性体26が配設された外側フラップ部25が形成されたことで、フラップ部13および外側フラップ部25によって、例えば排泄物等の漏出をより確実に防止でき、さらに、脚回り部９が伸縮可能となって装着者の脚回りに確実に密着できるので好ましい。
【００６９】
外側フラップ弾性体26は、外側フラップ部25の長手方向に沿って配設されていれば、中間弾性体22、内側弾性体23、外側弾性体24と同様に、その形状、配設数数、配設方法、配設間隔、配設箇所は限定されないが、図２に示されるように、フラップ部13の基部14における基端部16と裏面シート４との間に外側フラップ弾性体26が配設されると、外側フラップ弾性体26による装着時の違和感を防止できるので好ましい。
【００７０】
また、フラップ部13の外側延出部21の外側縁部が外側フラップ弾性体26より外側に突出していると、この突出部分から例えば排泄物等が漏出してしまう可能性があるので、外側延出部21の外側縁部が外側フラップ弾性体26より前記吸収性物品本体２の幅方向の内側に位置するように形成されると、例えば排泄物等の漏出を確実に防止できるので好ましい。
【００７１】
さらに、フラップ部13の内側延出部20の内側縁部が吸収体５の幅方向の外側縁部より外側に位置していると、例えば排泄物等が延出部15を越え易くなり漏出する可能性があるので、内側延出部20の内側縁部が吸収体５上に位置するように形成されると例えば排泄物等の漏出をより効果的に防止できるので好ましい。
【００７２】
なお、外側フラップ部25および外側フラップ弾性体26は、必要に応じて設けるものであり、外側フラップ部25および外側フラップ弾性体26を設けない場合もある。
【００７３】
図４および図５は、使い捨て吸収性物品１にインナとして別体のインナ使い捨て吸収性物品27を配設して使用する場合を示す。
【００７４】
図４は、両側基部14間で基部14および延出部15によって囲まれるように、表面シート３および吸収体５上に別体のインナ使い捨て吸収性物品27が配設された状態である。
【００７５】
このように基部14および延出部15によって囲むように別体のインナ使い捨て吸収性物品27を配設すると、両側基部14間にインナ使い捨て吸収性物品27を固定でき、このインナ使い捨て吸収性物品27によって吸収力を向上できるとともに、基部14および延出部15によって例えば排泄物等の漏出を防止できるので好ましい。
【００７６】
図５は、延出部15上にインナ使い捨て吸収性物品27が配設された状態であり、インナ使い捨て吸収性物品27の幅方向の長さが両側基部14間の長さより長い場合はこのように配設する。
【００７７】
インナ使い捨て吸収性物品27を延出部15上に配設すると、基部14および延出部15によってインナ使い捨て吸収性物品27を装着部へ押し上げることができるので、インナ使い捨て吸収性物品27を直接肌に密着させることで、吸収力を向上できるので好ましい。
【００７８】
なお、インナ使い捨て吸収性物品27は、必要に応じて配設するものであり、特に配設しなくてもよい。
【００７９】
次に、上記第１の実施の形態の作用および効果を説明する。
【００８０】
使い捨て吸収性物品１の装着に際しては、吸収性物品本体２の背側腰回り部６、腹側腰回り部７、股下回り部８をそれぞれ装着者の背側腰回り、腹側腰回り、股下回りに対応させ、背側腰回り部６および腹側腰回り部７の接合片10に設けられた面状ファスナを互いに係合させて装着する。
【００８１】
ここで、吸収性物品本体２の幅方向の両側部には、基部14および延出部15を有するフラップ部13が設けられたことで、装着時に、延出部15が確実に装着者の肌に密着でき、基部14と延出部15とによって例えば排泄物等の漏出を防止できる。
【００８２】
そして、このフラップ部13の延出部15における中間延出部19、内側延出部20、外側延出部21に、中間延出部19の伸長応力が内側延出部20および外側延出部21の伸長応力より大きくなるように、それぞれに中間弾性体22、内側弾性体23、外側弾性体24を配設することで、下側に基部14が位置し、この基部14の影響で伸縮し難い中間延出部19が、内側延出部20および外側延出部21と同様に伸縮でき、延出部15の幅方向の断面形状を平面状に維持できるので、延出部15が装着部に確実に密着でき、例えば排泄物等の漏出を確実に防止できる。
【００８３】
また、中間延出部19が内側延出部20および外側延出部21と同様に伸縮できることで、延出部15全体が確実に伸縮でき、この延出部15の伸縮に伴って基部14が確実に起立できるので、装着者の装着部の動きに対応して延出部15が確実に装着部に密着し、例えば排泄物等の漏出を確実に防止できる。
【００８４】
さらに、延出部15の幅方向の断面形状を平面状に維持できかつ基部14が確実に起立できるので、使い捨て吸収性物品１に別体のインナ使い捨て吸収性物品27を配設する場合も、インナ使い捨て吸収性物品27の幅方向の大きさに限定されることなく確実に対応できる。
【００８５】
フラップ部13における基部14および延出部15がそれぞれ異なるシート材によって形成され、使い捨て吸収性物品１の装着時に例えば排泄物等と接触し易いフラップ部13の基部14が、延出部15より不透液性が良好なシート材で形成されると、例えば排泄物等の漏出を効果的に防止できる。
【００８６】
また、基部14および延出部15の両方が不透液性を有するシート材で形成され、さらに、基部14が延出部15より不透液性が良好なシート材で形成されると、例えば排泄物等の漏出を確実に防止できる。
【００８７】
フラップ部13の基部14における分岐部17および自由部18より吸収性物品本体２の幅方向の外側部に、吸収性物品本体２の長手方向に沿って、外側フラップ弾性体26が配設された伸縮可能な外側フラップ部25が設けられたことで、フラップ部13と外側フラップ部25とによって、例えば排泄物等の漏出をより確実に防止できる。
【００８８】
また、フラップ部13の外側延出部21の外側縁部が、外側フラップ弾性体26より吸収性物品本体２の幅方向の内側に位置し、フラップ部13の内側延出部20の内側縁部が吸収体５上に位置するように形成されることで、フラップ部13と外側フラップ部25とによって例えば排泄物等の漏出をより確実に防止できる。
【００８９】
次に、第２の実施の形態を図６を参照して説明する。なお、上記の実施の形態と同一の構成および作用については、同一符号を付してその説明を省略する。
【００９０】
図６に示されるように、中間延出部19に中間弾性体22が三本配設され、内側延出部20に中間弾性体22と同一の弾性体である内側弾性体23が中間弾性体22より広い配設間隔で二本配設され、外側延出部21に中間弾性体22および内側弾性体23と同一の弾性体である外側弾性体24が一本配設されている。
【００９１】
このように中間弾性体22、内側弾性体23、外側弾性体24を配設することで、フラップ部13の延出部15では、中間延出部19の伸長応力が最も大きく、次いで内側延出部20の伸長応力が大きく、外側延出部21の伸長応力が最も小さくなる。
【００９２】
最も伸縮し難い中間延出部19の伸長応力を最も大きくし、次いで伸縮し難い内側延出部20の伸長応力を次いで大きくし、最も伸縮し易い外側延出部21の伸長応力を最も小さくすることで、延出部15の幅方向の断面形状をより確実に平面状に維持でき、延出部15が装着部に確実に密着できるので、例えば排泄物の漏出を確実に防止できる。
【００９３】
延出部15において伸長応力を調整する方法は上述した方法に限定されず、例えばそれぞれ異なる弾性体を配設して調整する方法や同一の弾性体を用いて弾性体の配設数や配設間隔を変えて調整する方法等で適宜選択できる。
【００９４】
次に、第３の実施の形態を図７を参照して説明する。なお、上記の実施の形態と同一の構成および作用については、同一符号を付してその説明を省略する。
【００９５】
図７に示されるように、フラップ部13の延出部15は、内側延出部20の幅方向の長さが、外側延出部21の幅方向の長さより短く形成されている。
【００９６】
なお、内側延出部20および外側延出部21の幅方向の長さは限定されないが、外側延出部21の幅方向の長さを自由部18の断面方向の長さより短くすると、自由部18が起立し易いので好ましい。
【００９７】
このように、内側延出部20の幅方向の長さが、外側延出部21の幅方向の長さより短く形成されたことで、吸収体５上に位置する表面シート３および吸収体５が内側延出部20によって覆われる面積を小さくできるので、内側延出部20による吸収体５の吸収力の低下を抑制できる。
【００９８】
また、外側延出部21の幅方向の長さが長いので、幅方向の長さが長いインナ使い捨て吸収性物品27であっても延出部15上に確実に配設できる。
【００９９】
次に、第４の実施の形態を図８を参照して説明する。なお、上記の実施の形態と同一の構成および作用については、同一符号を付してその説明を省略する。
【０１００】
図８に示されるように、フラップ部13の長手方向の両端縁部には、内側延出部20の下側面と表面シート３の上側面とが接合された内側接合部30が形成され、さらに外側延出部21の下側面と基部14の外側面とが接合された外側接合部31が形成されている。
【０１０１】
また、外側接合部31の長手方向の長さは、内側接合部30の長手方向の長さより長く形成されており、このように形成されることで、内側延出部20より反りが発生し易い外側延出部21の反りの発生を抑制でき、延出部15全体を平面状に維持し易くできるので、確実に延出部15が肌に密着でき、例えば排泄物等の漏出を確実に防止できる。
【０１０２】
そして、吸収性物品本体２の長手方向の両端縁部の吸収体５が配設されていない部分には、内側接合部30と外側接合部31とによって端縁フラップ部32が形成され、例えば排泄物等が吸収性物品本体２の長手方向から漏出する恐れを防止できる。
【０１０３】
ここで、内側接合部30は、吸収体５が配設されていない端縁フラップ部32上に形成され、外側接合部31は、端縁フラップ部32から吸収体５が配設された部分の中間弾性体22、内側弾性体23、外側弾性体24の近傍まで形成されると、端縁フラップ部32によって例えば排泄物等の漏出をより確実に防止でき、外側延出部21の反りの発生をより抑制できるので好ましい。
【０１０４】
次に、第５の実施の形態を図９を参照して説明する。なお、上記の実施の形態と同一の構成および作用については、同一符号を付してその説明を省略する。
【０１０５】
パンツ形状にして着用されるタイプの使い捨て吸収性物品１において、図９に示されるように、フラップ部13の延出部15は、吸収性物品本体２の背側腰回り部６の少なくとも一部に設けられた非伸縮である背側非伸縮部33と、吸収性物品本体２の腹側腰回り部７の少なくとも一部に設けられた非伸縮である腹側非伸縮部34とを備えており、背側非伸縮部33の吸収性物品本体２の長手方向の長さは、腹側非伸縮部34の吸収性物品本体２の長手方向の長さより長く形成されている。
【０１０６】
これら背側非伸縮部33および腹側非伸縮部34を非伸縮に形成する方法は限定されず、例えば弾性体を配設しない方法や配設された弾性体を切断する方法等で適宜選択できる。
【０１０７】
ここで、装着者の背側の腰回りは腹側の腰回りに比べて屈曲し難く、背側腰回り部６は比較的伸縮性を有さなくてよいので、背側非伸縮部33の長さを腹側非伸縮部34の長さより長く形成し、背側腰回り部６を腹側腰回り部７より伸縮し難くすることで、背側腰回り部６および腹側腰回り部７を装着者の腰回りに対応させ易くできるので、使い捨て吸収性物品１を容易に装着できる。
【０１０８】
また、背側非伸縮部33の長手方向の長さを比較的長めに形成することで、中間弾性体22、内側弾性体23、外側弾性体24の伸縮によって、背側腰回り部６に皺が形成され難くできるので、皺による装着時の違和感を抑制できる。
【０１０９】
背側非伸縮部33の吸収性物品本体２の長手方向の長さが、腹側非伸縮部34の吸収性物品本体２の長手方向の長さより長く形成されていれば、これら背側非伸縮部33および腹側非伸縮部34の長さは限定されず、例えば背側腰回り部６全体の延出部15を背側非伸縮部33とすると、背側腰回り部６に皺ができ難く、装着時の違和感をより抑制できるので好ましい。
【０１１０】
次に、第６の実施の形態を図１０を参照して説明する。なお、上記の実施の形態と同一の構成および作用については、同一符号を付してその説明を省略する。
【０１１１】
図１０に示されるように吸収性物品本体２は、この吸収性物品本体２の長手方向に沿って延出部15以外の部分に設けられた長手方向折畳み線35と、吸収性物品本体２の幅方向に沿って設けられた幅方向折畳み線36とを備え、使い捨て吸収性物品１は、これら長手方向折畳み線35および幅方向折畳み線36に沿って折畳まれる。
【０１１２】
通常、使い捨て吸収性物品１は、製造過程において、展開状態から長手方向折畳み線35および幅方向折畳み線36に沿って折畳まれたコンパクトな状態で包装されるが、延出部15以外の部分に長手方向折畳み線35が設けられたことで、使い捨て吸収性物品１の展開状態において、長手方向折畳み線35による折跡で、延出部15の幅方向の形状が、例えばＶ字形等に折れ曲がることを防止でき、延出部15の幅方向の形状を平面状に維持できるので、使い捨て吸収性物品１の装着時に装着者の肌に確実に密着できる。
【０１１３】
ここで、図１０では、長手方向折畳み線35は、延出部15の吸収性物品本体２の幅方向の外側に設けられているが、長手方向折畳み線35の配設箇所は、吸収性物品本体２の延出部15以外の部分であれば限定されず、例えば延出部15の吸収性物品本体２の幅方向の内側に設けられてもよい。
【０１１４】
また、幅方向折畳み線36の配設箇所は、吸収性物品本体２上であれば限定されない。
【０１１５】
さらに、長手方向折畳み線35および幅方向折畳み線36の配設数も限定されず、例えば吸収性物品本体２の長手方向および幅方向のそれぞれの中心線を通る長手方向折畳み線35および幅方向折畳み線36をそれぞれ１本ずつ設ける等、適宜設定できる。
【０１１６】
なお、この実施の形態では、長手方向折畳み線35および幅方向折畳み線36の両方が設けられているが、長手方向折畳み線35または幅方向折畳み線36のいずれか一方のみを設けてもよい。
【図面の簡単な説明】
【０１１７】
【図１】本発明の第１の実施の形態の使い捨て吸収性物品の展開状態を示す一部を切り欠いた平面図である。
【図２】同上使い捨て吸収性物品の図１におけるＡ−Ａ断面図である。
【図３】同上使い捨て吸収性物品の自由部の密着状態を示す断面図である。
【図４】同上使い捨て吸収性物品にインナ使い捨て吸収性物品が配設された状態を示す断面図である。
【図５】同上使い捨て吸収性物品にインナ使い捨て吸収性物品が配設された状態を示す断面図である。
【図６】本発明の第２の実施の形態の使い捨て吸収性物品を示す断面図である。
【図７】本発明の第３の実施の形態の使い捨て吸収性物品を示す断面図である。
【図８】本発明の第４の実施の形態の使い捨て吸収性物品の展開状態を示す平面図である。
【図９】本発明の第５の実施の形態の使い捨て吸収性物品の展開状態を示す平面図である。
【図１０】本発明の第６の実施の形態の使い捨て吸収性物品の展開状態を示す平面図である。
【符号の説明】
【０１１８】
１    使い捨て吸収性物品
２    吸収性物品本体
３    表面シート
４    裏面シート
５    吸収体
６    背側腰回り部
７    腹側腰回り部
８    股下回り部
13    フラップ部
14    基部
15    延出部
16    基端部
17    分岐部
18    自由部
19    中間延出部
20    内側延出部
21    外側延出部
22    中間弾性体
23    内側弾性体
24    外側弾性体
25    外側フラップ部
26    外側フラップ弾性体
30    内側接合部
31    外側接合部
33    背側非伸縮部
34    腹側非伸縮部
35    長手方向折畳み線
36    幅方向折畳み線
【図１】
2008307223.tif 000003
【図２】
2008307223.tif 000004
【図３】
2008307223.tif 000005
【図４】
2008307223.tif 000006
【図５】
2008307223.tif 000007
【図６】
2008307223.tif 000008
【図７】
2008307223.tif 000009
【図８】
2008307223.tif 000010
【図９】
2008307223.tif 000011
【図１０】
2008307223.tif 000012